(57)【要約】  ヘッダ付き音声パケットを送信する音声パケット送信方法及び装置であり、圧縮されたヘッダ付き音声パケットを送信し、該送信中に圧縮されないヘッダ付きの音声パケットを送信する必要が発生したか監視し、必要が発生したとき、圧縮されないヘッダ付きの音声パケットデータを複数に分割し、各分割データを異なるアンテナより空間多重して送信する。
2008050429.tif 000002
【特許請求の範囲】
【請求項１】
ヘッダ付き音声パケットを送信する音声パケット送信方法において、
圧縮されたヘッダ付き音声パケットを送信するステップ、
前記送信中に圧縮されないヘッダ付きの音声パケットを送信する必要が発生したか監視するステップ、
前記必要が発生したとき、前記圧縮されないヘッダ付きの音声パケットデータを複数に分割するステップ、
各分割データを異なるアンテナより空間多重して送信するステップ、
を有することを特徴とする音声パケット送信方法。
【請求項２】
請求項１記載の音声パケット送信方法において、
前記圧縮されたヘッダ付き音声パケットを複数のサブキャリアを用いて送信し、
前記各分割データを前記複数のサブキャリアを用いて異なるアンテナより空間多重して送信する、
ことを特徴とする音声パケット送信方法。
【請求項３】
請求項１または２記載の音声パケット送信方法は、更に、
各音声パケットに、後続の音声パケットを前記空間多重して送信するか否かを示す制御信号を付加するステップ、
を有することを特徴とする音声パケット送信方法。
【請求項４】
請求項１または２記載の音声パケット送信方法は、更に、
音声パケットのサイズを検出し、該パケットサイズに基づいて該音声パケットが圧縮されたヘッダ付き音声パケットであるか、圧縮されないヘッダ付きの音声パケットであるかを判定するステップ、
を有することを特徴とする音声パケット送信方法。
【請求項５】
請求項３記載の音声パケット送信方法は、更に、
受信信号より前記制御信号を復調し、該制御信号により受信信号の復調方法を切り替えて受信データを復調するステップ、
を有することを特徴とする音声パケット送信方法。
【請求項６】
ヘッダ付き音声パケットを送信する音声パケット送信方法において、
圧縮されたヘッダ付き音声パケットデータを第１の符号化率で符号化するステップ、
圧縮されたヘッダ付き音声パケットを送信するステップ、
前記送信中に圧縮されないヘッダ付きの音声パケットを送信する必要が発生したか監視するステップ、
前記必要が発生したとき、前記圧縮されないヘッダ付きの音声パケットのデータを前記第１の符号化率より大きい第２の符号化率で符号化し、該符号化された音声パケットデータを送信するステップ、
を有することを特徴とする音声パケット送信方法。
【請求項７】
請求項６記載の音声パケット送信方法において、
前記符号化された音声パケットデータを複数のサブキャリアを用いて送信する、
ことを特徴とする音声パケット送信方法。
【請求項８】
請求項６または７記載の音声パケット送信方法は、更に、
各音声パケットに、後続の音声パケットデータを前記第１符号化率、第２符号化率のいずれで符号化するかを特定する制御信号を付加するステップ、
を有することを特徴とする音声パケット送信方法。
【請求項９】
請求項６または７記載の音声パケット送信方法は、更に、
音声パケットのサイズを検出し、該パケットサイズに基づいて該音声パケットが圧縮されたヘッダ付き音声パケットであるか、圧縮されないヘッダ付きの音声パケットであるかを判定するステップ、
を有することを特徴とする音声パケット送信方法。
【請求項１０】
請求項８記載の音声パケット送信方法は、更に、
受信信号より前記制御信号を復調し、該制御信号により復号方法を切り替えて音声パケットデータを復号するステップ、
を有することを特徴とする音声パケット送信方法。
【請求項１１】
ヘッダ付き音声パケットを送信する音声パケット送信装置において、
音声パケットデータを送信する２以上の送信部、
各送信部から出力される無線信号を空間に送信する２以上のアンテナ、
圧縮されたヘッダ付き音声パケットを送信中において、圧縮されないヘッダ付き音声パケットを送信する必要が発生したか検出する検出部、
前記必要が発生したとき、前記圧縮されないヘッダ付きの音声パケットデータを複数に分割するデータ分割部、
を備え、前記各送信部は各分割データを各アンテナより空間に放射し、空間多重して送信する、
ことを特徴とする音声パケット送信装置。
【請求項１２】
請求項１１記載の音声パケット送信装置は、更に、
各音声パケットに、後続の音声パケットを前記空間多重して送信するか否かを示す制御信号を付加する制御信号付加部、
を有することを特徴とする音声パケット送信装置。
【請求項１３】
請求項１１または１２記載の音声パケット送信装置は、更に、
音声パケットのサイズを検出し、該パケットサイズに基づいて該音声パケットが圧縮されたヘッダ付き音声パケットであるか、圧縮されないヘッダ付きの音声パケットであるかを判定するヘッダ圧縮/非圧縮判定部、
を有することを特徴とする音声パケット送信装置。
【請求項１４】
請求項１２記載の音声パケット送信装置において、
受信側は受信信号より前記制御信号を復調し、該制御信号により受信信号の復調方法を切り替えて受信データを復調する、
を有することを特徴とする音声パケット送信装置。
【請求項１５】
ヘッダ付き音声パケットを送信する音声パケット送信装置において、
圧縮されたヘッダ付き音声パケットデータを第１の符号化率で符号化する第１の符号器、
圧縮されないヘッダ付きの音声パケットのデータを前記第１の符号化率より大きい第２
の符号化率で符号化する第２の符号器、
符号化された音声パケットデータを送信する送信部、
前記第１の符号器で符号化した音声パケットデータを前記送信部より送信中において、圧縮されないヘッダ付きの音声パケットを送信する必要が発生したか検出する検出部、
前記必要が発生したとき、前記第２の符号器で符号化した音声パケットデータを前記送信部に入力する選択部、
を備えることを特徴とする音声パケット送信装置。
【請求項１６】
請求項１５記載の音声パケット送信装置は、更に、
各音声パケットに、後続の音声パケットデータを前記第１符号化率、第２符号化率のいずれで符号化するかを特定する制御信号を付加する制御信号付加部、
を有することを特徴とする音声パケット送信装置。
【請求項１７】
請求項１５または１６記載の音声パケット送信装置は、更に、
音声パケットのサイズを検出し、該パケットサイズに基づいて該音声パケットが圧縮されたヘッダ付き音声パケットであるか、圧縮されないヘッダ付きの音声パケットであるかを判定する判定部、
を有することを特徴とする音声パケット送信装置。
【請求項１８】
請求項１６記載の音声パケット送信装置において、
受信側は、受信信号より前記制御信号を復調し、該制御信号により復号方法を切り替えて音声パケットデータを復号する、
ことを特徴とする音声パケット送信装置。
【請求項１９】
所定の期間内において所定の変調方式、所定の符号化率に制限して所定の送信領域で送信を行うことを通知している場合に、該所定の送信領域に収まらないデータの送信が必要となると、前記所定の期間内において、該データの送信に先だって送信される前記所定の送信領域に、前記変調方式を維持しつつ前記所定の送信領域に加えて更なる送信領域を空間多重により拡大すること又は前記所定の送信領域内で符号化率を高めてデータ送信を行うことを通知する信号を格納して送信する、
ことを特徴とするデータ送信方法。
【発明の詳細な説明】
【技術分野】
【０００１】
本発明は、例えば音声パケットの送信方法及び装置に係わる。特に、ヘッダが圧縮されているか否かに応じてヘッダ付き音声パケットの送信方法を切り替える音声パケット送信に用いて好適である。
【背景技術】
【０００２】
・Evolved UTRANシステム
今日の通信システムとしてその扱いやすさやコストの面からIP（Internet Protocol）プロトコルとその関連プロトコルを使用したシステムが構築されるようになってきており、有線システムだけでなく、無線システムの無線空間上でも音声データの伝送を、パケットを用いて行なう方向にすすんでいる。
音声データをパケット化するにあたり、例えば、20ms毎の音声波形に対し音声符号化処理を行なっている。符号化された音声データペイロード（payload）に対し、RTP/UDP/IP（Real Time Protocol/User Data Protocol/ Internet Protocol）ヘッダが付加され、音声パケットとして伝送される。20msあたりの音声パケットのサイズにおいてヘッダが占める割合が大きく、IPv6ではIPv4に比べて更にIPヘッダのサイズが大きくなる。
図１０は標準化団体３GPPで現在基本検討が行なわれているEUTRAN (Evolved UTRAN)システムの構成図であり、基地局であるeNB (evolved-UTRAN NodeB) 1a 〜1n、それを幾つか束ねて制御するアクセスゲートウェイaGW (evolved-UTRAN Access Gateway)2a〜2b、ネットワーク全体のアンカーであるIASA( Inter Access System Anchor)3で構成される。基地局であるeNB 1a〜1nは、従来の基地局NBと無線網制御装置RNC (Radio Network Controller)の機能とほぼ同等の機能を備え、aGW 2a〜2bはユーザ端末4a,4bとIASA 3間のメッセージの受け渡しを行なう。IASA 3はルータ的な機能を備え、IMS（IP Multimedia Subsystem)5に接続すると共に、加入者(Subscriber)のプロファイルを保存するHSS (Home Subscriber Server)6に接続している。aGW (access gateway)の中に置かれるPDCP(Packet Data Convergence Protocol)機能部において、音声パケットに対し、ヘッダ部の圧縮が行なわれる。更に、基地局内のRLC, MAC層でheaderが付加されるが、音声パケットのサイズは、PDCP機能部によるRTP/UDP/IPヘッダ圧縮により、かなり小さくなる。【０００３】
・プロトコルスタックおよびヘッダ圧縮
図１１はユーザ端末（UE）4、基地局装置(eNB)1、aGW 2 おけるU-plane Dataのプロトコルスタック説明図であり、物理レイヤ（PHY）、MAC(Medium Access Control)レイヤ、RLC(Radio Link Control)レイヤ、PDCP (Packet Data Convergence Protocol)レイヤの4階層で構成されている。ユーザ端末（UE）4とaGW 2間ではPDCP レイヤでのデータ送受が行なわれ、ユーザ端末4と基地局1 間ではRLCレイヤでのデータ送受が行なわれる。各プロトコルの主な機能は以下の通りである。
(1) PDCP：PDCPレイヤにおいて、送信側は上位プロトコルのヘッダを圧縮し、また、シーケンス番号を付加して送信する。受信側は、シーケンス番号をチェックし、これにより重複受信の廃棄処理を行なう。PDCPレイヤでは再送は行なわれない。
図１２はヘッダ圧縮説明図であり、(A)はヘッダ圧縮前のパケットであり、音声ペイロードPLにIPv4ヘッダ（あるいはIPv6ヘッダ）H1とUDPヘッダH2とRTPヘッダH3が付加され、（B）はヘッダ圧縮後のパケットであり、圧縮ヘッダHcが音声ペイロードPLに付加されている。
最初、2 0ms毎に音声符号化された音声データペイロードPLにヘッダH1〜H3が付加されたパケットが伝送される。ヘッダの中身は不変の部分と、変動する部分にわけられる。したがって、初回のみ、ヘッダ内の全内容を音声ペイロードPLに付加して送信し、その後、変動する内容のみを音声ペイロードに付加することにより、ヘッダ部の圧縮が可能となる
。一例とし、RTPシーケンス番号のみを常に送信することでヘッダ部サイズを１バイトほどの大きさまで圧縮することができる。ただし、圧縮ヘッダHcを付加して音声ペイロードを伝送している最中に伝送エラーが発生した場合やヘッダ内で送信する内容が一部変化した場合、受信側は、圧縮ヘッダより圧縮前のヘッダを復元することが不可能になる。かかる場合、送信側は圧縮されていないフルサイズのヘッダを送信する必要がある。受信側はヘッダの復元を失敗すれば、送信側に対しフィードバックを行い、受信側におけるヘッダ復元失敗を通知する。
(2)RLC：RLCレイヤは再送機能を持つレイヤであり、PDCPからのデータに付加されているシーケンス番号を元にしてRLCレイヤでのシーケンス番号を新たに付加して送信する。受信側は該シーケンス番号を用いてデータの正常受信/異常受信を示す送達確認信号（Ack/Nack信号）を送信側に通知する。送信側はAck 信号が返されれば保持しているデータを廃棄し、一方、Nack信号が返されれば保持している該当データを再送する。
(3)MAC：MACレイヤはRLCレイヤのデータを多重/分離するレイヤである。すなわち、送信側はRLCレイヤのデータを多重して送信データとし、受信側はMACレイヤの受信データをRLCレイヤのデータに分離する。
(4)PHY：PHYレイヤはユーザ端末4及び基地局1間において無線でデータを送受信するレイヤであり、MACレイヤデータを無線データに変換し、あるいは無線データをMACレイヤデータに変換する。【０００４】
・無線区間の送信方法及びサブフレーム
Evolved UTRANシステムの無線アクセス部のダウンリンクでは、OFDM(Orthogonal Frequency Division Multiplex)が採用される。図１３はEUTRANの無線アクセス部のダウンリンクにおけるサブフレームの説明図であり、横軸は周波数(ダウンリンクの伝送帯域)、縦軸は時間であり、5個のサブフレームが示されている。各サブフレームは図示しないが所定数のOFDMシンボルで構成される。
20MHz幅の無線伝送帯域（システム伝送帯域）のOFDM信号は1201個のサブキャリアで送信される。この20MHz幅の伝送帯域は、100個ほどのサブバンドに分割され、ある端末に対するデータの送信には１個又は複数個のサブバンドが使用される。１個のサブバンドは、12本のサブキャリアで構成されることが想定されている。サブフレーム長は0.5 msであり、システム伝送帯域全域で共通パイロットが送信される。
各サブフレームSFは、共通パイロットCPL、共通制御信号CCS、各端末宛の個別データUDT及び個別制御データUCTあるいは音声データを含んでいる。共通パイロットCPLは受信側でSIR測定や同期復調に用いるものであり、共通制御信号CCSは全端末共通の制御信号で、ユーザーデータ位置情報を含んでいる。このユーザーデータ位置情報は、ユーザーデータをどのサブキャリアあるいはどのサブバンドで送信するか端末に通知するための情報であり、端末はこの位置情報を参照して自分宛のデータが存在するかチェックし、存在すれば指定されたサブバンドより自分宛ての個別データ/制御信号UDT/UCTあるいは音声信号を取り込む。【０００５】
・OFDM送受信システム
図１４はOFDM通信システムにおける送信装置の構成図であり、データ変調部１１は送信データ（ユーザデータや制御データ）を例えばQPSKデータ変調し,同相成分と直交成分を有する複素べースバンド信号(シンボル)に変換する。時分割多重部１２は複数シンボルのパイロットをデータシンボルに時間多重する。シリアルパラレル変換部１３は入力データをMシンボルの並列データに変換し、M個のサブキャリアサンプルを出力する。IFFT(Inverse Fast Fourier Transform)部１４は並列入力するサブキャリアサンプルにIFFT（逆フーリエ変換）処理を施して合成し、離散時間信号(OFDM信号)にして出力する。ガードインターバル挿入部１５は、IFFT 部から入力するMシンボル分のOFDM信号にガードインターバルを挿入し、送信部(TX)１６はガードインターバルが挿入されたOFDM信号をDA変換し、ついで、OFDM信号の周波数をベースバンドから無線帯域に変換し、高周波増幅してアンテナ１
７より送信する。【０００６】
図１５はOFDM受信装置の構成図である。送信アンテナ７から出力された信号は、フェージングチャネル（伝搬路）を経て、受信装置の受信アンテナ１８により受信され、受信回路（Rx）１９はアンテナにより受信されたＲＦ信号をベースバンド信号に変換し、該ベースバンド信号をディジタルにAD変換して出力する。FFTタイミング同期回路２０は、受信回路１９から出力する時間領域信号よりFFTタイミングを検出し、シンボル切出し部２１はGIを削除すると共に該FFTタイミングでOFDMシンボルを切出してＦＦＴ部２２に入力する。ＦＦＴ部２２は切り出されたOFDMシンボル毎にFFT処理を行ない、周波数領域のサブキャリアサンプルＳ0〜ＳM-1に変換する。チャネル推定回路２３は、一定間隔で受信するパイロットシンボルと既知のパイロットパターンとの相関を計算することで、サブキャリア毎のチャネル推定を行ない、チャネル補償回路２４は、チャネル推定値を用いて、データシンボルのチャネル変動を補償する。以上の処理によって、各サブキャリアに配分された送信データの復調が行われる。以後、図示しないが復調されたサブキャリア信号はシリアルデータに変換された後、復号される。【０００７】
・持続スケジューリング（Persistent scheduling）
今後の無線システムでは、無線区間におけるパケット送信をスケジューリングによって行なうことが一般的になってくる。データには、音声データのように、遅延特性が最重視されるRT（リアルタイム）データと、スループット（throughput）特性が最重視されるNRT(ノンリアルタイムデータ)がある。
一定間隔で伝送される音声データパケットの場合、送信するタイミングや周波数領域における場所(サブバンド)をパケット単位で送信毎に決めてスケジューリング送信するのは非効率であり、音声データパケットの場合、事前に決められた周期と場所で送信を行なうことが効率的であると考えられている。なぜなら、音声パケットの送信に使用される場所などの情報を示す制御信号を音声パケット毎に送信する必要がなくなるからである。
また、変調方式および符号化率についてもパケット単位で決めてスケジューリング送信するのは非効率である。というのは、圧縮されたヘッダを有する音声パケットデータはサイズが小さいため、パケット単位で変調方式や符号化率を変えて送信すると、その音声パケットに適用した変調方式や符号化率を示す制御信号のサイズが、音声パケットのサイズに対し相対的に大きくなるからである。
以上の点を図１６で例示的に説明する。(A）に示すようにサブフレームには、スケジューリング情報（タイミング、周波数領域における場所、変調方式、符号化率）をマッピングする制御信号領域３１と個別データや音声データを送信するデータ領域３２がある。制御信号領域３１のサイズは限られており、(B）に示すように最大N個の端末宛スケジューリング情報S0〜SN-1しかマッピングできないと仮定すると、データ領域３２には最大N個の端末宛データ（個別データや音声データ）DT0〜DTN-1しかマッピンできない。ノンリアルタイムデータであれば、データサイズが大きいため、N個に達する前にデータ領域３２が満杯になり、該データ領域をフルに活用してデータ送信ができる。一方、圧縮された音声パケットデータはサイズが小さいためデータ領域３２にはN個以上の端末宛音声パケットデータをマッピングできる。しかし、制御信号領域３１には最大N個の端末宛のスケジューリング情報S0′〜SN-1′しかマッピングできないため、(C）に示すようにデータ領域３２にはN個の端末宛の音声パケットデータSD0〜SDN-1しかマッピングできず、データ領域３２にスペースが発生し、効率よくデータ伝送ができない。
そこで、(D)に示すように制御信号領域３１には最初の通信開始時のみスケジューリング情報をマッピングし、以後はスケジューリング情報を音声データに含ませる方法が考えられる。この方法によれば、データ領域３２をフルに活用してデータ送信ができる。しかし、スケジューリング情報S0′〜SN-1′のサイズが大きいため効率がよくない。【０００８】
以上から、以下の方法が提案されている。
音声パケットを送信する場合、図１７に示すように時間軸を所定時間長で区切り、各時間区間T1、T2、T2、…内で送信する音声パケットPKTの送信タイミング（周期）と周波数領域における送信場所を決めて固定し、かつ、その時間区間内で送信する音声パケットに適用する変調方式と符号化率を決定して固定する。そして、その時間区間毎に送信タイミングや送信場所並びに変調方式、符号化率、更には送信出力等を変えることを可能とする。このために、時間区間の最初で音声パケットPKTに付加して送信する制御信号CSにより、該時間区間における送信タイミングや送信場所並びに変調方式、符号化率、更には送信出力に関する情報を特定する。
上記の送信方法を採用した場合、音声パケットPKTを受信する側は、時間区間ごとに送信される該時間区間内での送信方法と変調方式等を示す制御信号を１回受信すれば、その時間区間内において、以後は音声パケットPKTだけを受信すればよくなり、伝送効率が改善される。このような送信方法を、標準化団体３GPPでは、持続スケジューリング（Persistent scheduling）に基づく音声パケット送信と呼んでいる(非特許文献１)。制御信号CSは上位レイヤにおいて音声パケットPKTに付加される。
図１７では、ある時間区間の最初の音声パケットに制御信号CSを付加したが、図１８に示すように、ある時間区間の最後の音声パケットPKTに付加する制御信号CSにより、次の時間区間における送信タイミングや送信場所並びに変調方式、符号化率更には送信出力を特定することもできる。
図１９は音声パケットがある時間区間において一定の周期で送信され、かつ同一のサブキャリア(サブバンド)で送信されていることを説明する図である。端末１宛ての音声パケットPKT１は周波数帯域Ｆ１において時間周期Ｔ11で送信され、端末２宛ての音声パケットPKT2は周波数帯域Ｆ２において時間周期Ｔ22で送信されている。【０００９】
・課題
EUTRANにおいては、aGW内のPDCP機能部においてRTP/UDP/IPヘッダの圧縮を行なうが、少なくとも最初の音声パケットに付随するヘッダに対して圧縮は行なえない。その後、後続する各音声パケットのRTP/UDP/IPヘッダの圧縮が行なわれるが、図１２で説明したように、不定期的に非圧縮のフルサイズヘッダを送信しなければならない事態が発生する。一般に、非圧縮のフルサイズヘッダが付加された音声パケットの大きさは、圧縮ヘッダが付加された音声パケットの大きさの約２倍弱である。
図１７で説明した音声パケット送信方式において、ヘッダ圧縮された小サイズの音声パケットを所定の周波数帯域で送信している際、突然、フルサイズヘッダが付加された大サイズの音声パケットを送信する事態が発生すると、該大サイズの音声パケットを送信する周数帯域を確保できていないため、送信が不可能になる。
このフルサイズヘッダ付きの音声パケットを送信しなければ、後続する音声パケットに付加されているヘッダの圧縮を行なえない。一方、フルサイズヘッダ付き音声パケットを送信することができるように大きな周波数帯域を決めると、ヘッダ圧縮された小サイズの音声パケットを送信する際に余分なスペースを確保しておく必要があり、無線リソースの無駄使いになり、ヘッダ圧縮が無意味になる。
以上から、本発明の目的は、突然、フルサイズヘッダが付加された大サイズの音声パケットを送信する事態が発生しても、該大サイズの音声パケットの送信を可能にすることである。
本発明の別の目的は、ヘッダ圧縮された小サイズの音声パケット送信時、フルサイズヘッダ付き音声パケットを送信できるように大きな周波数帯域を確保しておかなくても、該フルサイズヘッダ付き音声パケットの送信を可能にすることである。
また、本発明の目的の１つは、所定の期間内において所定の変調方式、所定の符号化率に制限して所定の送信領域で送信を行うことを通知している場合に、該所定の送信領域に収まらないデータの送信が必要となったとしても、これに対応することができるようにすることである。
【非特許文献１】3GPP TR25.814
【発明の開示】
【００１０】
本発明はヘッダ付き音声パケットを送信する音声パケット送信方法および音声パケット送信装置である。
本発明の第１の音声パケット送信方法は、圧縮されたヘッダ付き音声パケットを送信するステップ、前記送信中に圧縮されないヘッダ付きの音声パケットを送信する必要が発生したか監視するステップ、前記必要が発生したとき、前記圧縮されないヘッダ付きの音声パケットデータを複数に分割するステップ、各分割データを異なるアンテナより空間多重して送信するステップ、を有している。
本発明の第２の音声パケット送信方法は、圧縮されたヘッダ付き音声パケットデータを第１の符号化率で符号化するステップ、該圧縮されたヘッダ付き音声パケットを送信するステップ、前記送信中に圧縮されないヘッダ付きの音声パケットを送信する必要が発生したか監視するステップ、前記必要が発生したとき、前記圧縮されないヘッダ付きの音声パケットのデータを前記第１の符号化率より大きい第２の符号化率で符号化し、該符号化された音声パケットデータを送信するステップを有している。
本発明の第１の音声パケット送信装置は、音声パケットデータを送信する２以上の送信部、各送信部から入力する無線信号を空間に送信する２以上のアンテナ、圧縮されたヘッダ付き音声パケットを送信中において、圧縮されないヘッダ付き音声パケットを送信する必要が発生したか検出する検出部、前記必要が発生したとき、前記圧縮されないヘッダ付きの音声パケットデータを複数に分割するデータ分割部を備え、前記各送信部は各分割データを各アンテナより空間に放射し、空間多重して送信する。
本発明の第２の音声パケット送信装置は、圧縮されたヘッダ付き音声パケットデータを第１の符号化率で符号化する第１の符号器、圧縮されないヘッダ付きの音声パケットのデータを前記第１の符号化率より大きい第２の符号化率で符号化する第２の符号器、符号化された音声パケットデータを複数のサブキャリアを用いて送信する送信部、前記第１の符号器で符号化した音声パケットデータを前記送信部より送信中において、圧縮されないヘッダ付きの音声パケットを送信する必要が発生したか検出する検出部、前記必要が発生したとき、前記第２の符号器で符号化した音声パケットデータを前記送信部に入力する選択部を備えている。
【図面の簡単な説明】
【００１１】
【図１】本発明の第１の概略説明図である。
【図２】本発明の第２の概略説明図である。
【図３】第１実施例の通信システムの説明図である。
【図４】音声パケット送信装置の構成図である。
【図５】音声パケット及び送信方法特定情報SMの説明図ある。
【図６】音声パケット受信装置の構成図である。
【図７】第２実施例の音声パケット送信装置の構成図である。
【図８】第２実施例の音声パケット受信装置の構成図である。
【図９】特定情報SMの変形例である。
【図１０】標準化団体３GPPで現在基本検討が行なわれているEUTRAN(Evolved UTRAN)システムの構成図である。
【図１１】プロトコルスタック説明図である。
【図１２】ヘッダ圧縮説明図である。
【図１３】EUTRANの無線アクセス部のダウンリンクにおけるサブフレームの説明図である。
【図１４】OFDM通信システムにおける送信装置の構成図である。
【図１５】OFDM受信装置の構成図である。
【図１６】問題点説明図である。
【図１７】提案されている第１の音声パケット送信方法説明図である。
【図１８】提案されている第２の音声パケット送信方法説明図である。
【図１９】音声パケットがある時間区間において一定の周期で送信され、かつ同一のサブキャリア(サブバンド)で送信されていることを説明する図である。
【発明を実施するための最良の形態】
【００１２】
(Ａ)本発明の概略
図１は本発明の第１の概略説明図であり、最初、圧縮された小サイズのヘッダ付き音声パケットPKT１を複数のサブキャリアを用いて1本のアンテナより送信する（第１の送信方法）。ヘッダ付き音声パケットPKT１の送信中に、圧縮されない大サイズのヘッダ付きの音声パケットPKT2を送信する必要が発生したとき、該音声パケットのパケットデータを複数(図では２つ)に分割し、各分割データPKT21,PKT22を前記複数のサブキャリアを用いて異なるアンテナより空間多重して送信する（第２の送信方法）。
音声パケットを第１の送信方法で送信するか、第２の送信方法で送信するかは、各音声パケットに制御信号CSを付加し、この制御信号CSにより指示する。したがって、音声パケットPKT1に付加した制御信号CSにより第２の送信方法で音声パケットPKT2を送信することを指示し、また、圧縮されないヘッダ付きの音声パケットPKT2を送信中に、制御信号CSにより圧縮されたヘッダ付きの音声パケットPKT3を第１の送信方法で送信することを指示する。
受信装置は複数の受信アンテナを備え、受信信号より制御信号CSを復調し、該制御信号により送信方法を識別し、該送信方法に基づいて復調方法を切り替えて受信データを復調する。
図２は本発明の第２の概略説明図であり、最初、圧縮された小サイズのヘッダ付き音声パケットPKT1のパケットデータを第１の符号化率(低符号化率)で符号化し、該圧縮されたヘッダ付き音声パケットPKT1を複数のサブキャリアを用いて送信する。前記送信中に圧縮されない大サイズのヘッダ付きの音声パケットPKT2を送信する必要が発生したとき、該音声パケットのパケットデータを前記第１の符号化率より大きい第２の符号化率(高符号化率)で符号化し、該符号化された音声パケットデータを前記複数のサブキャリアを用いて送信する。
音声パケットデータを第１の符号化率、第２符号化率のいずれで符号化するかは、各音声パケットに制御信号CSを付加し、この制御信号CSにより指示する。したがって、音声パケットPKT1に付加した制御信号CSにより音声パケットPKT2を第２符号化率(高符号化率)で符号化して送信することを指示する。また、音声パケットPKT2に付加した制御信号CSによ
り音声パケットPKT３を第１符号化率(高符号化率)で符号化して送信することを指示する。
受信装置は、受信信号より制御信号を復調し、該制御信号により符号化率を識別し、該符号化率に基づいて復号方法を切り替えて音声パケットデータを復号する。
即ち、所定の期間内において所定の変調方式、所定の符号化率に制限して所定の送信領域で送信を行うことを通知している場合に、該所定の送信領域に収まらないデータの送信が必要となると、前記所定の期間内において、該データの送信に先だって送信される前記所定の送信領域に、前記変調方式を維持しつつ前記所定の送信領域に加えて更なる送信領域を空間多重により拡大すること又は前記所定の送信領域内で符号化率を高めてデータ送信を行うことを通知する信号を格納して送信する。【００１３】
(Ｂ) 第１実施例
(ａ)第１実施例の送受信制御
図３は第１実施例の通信システムの説明図であり、音声パケット送信装置４０は２つのOFDM送信装置４１，４２を備え、それぞれに送信アンテナ４３，４４が接続されている。音声パケット受信装置７０は２つのOFDM受信装置７１，７２を備え、それぞれに受信アンテナ７３，７４が接続されている。
圧縮されたヘッダ付きのデータを送信する場合、音声パケット送信装置４０は、第１のOFDM送信装置４１、アンテナ４３より音声パケットを送信し、音声パケット受信装置７０は、受信アンテナ７３、FDM受信装置７１を用いてパケットデータを復調する。すなわち、１本の送信アンテナ、１本の受信アンテナで通常のOFDM通信を行う。なお、圧縮ヘッダ付きのデータを送信する場合、アンテナ４３，４４より同一の音声パケットデータを送信し（送信ダイバーシチ)、受信側で１本の受信アンテナ７３で受信した信号に送信ダイバーシチ復調処理を施して音声パケットデータを復調することもできる。
圧縮されていないヘッダ付きのデータを送信する場合、音声パケット送信装置４０は、音声パケットデータを２つのデータ列に分割し、第１、第２のOFDM送信装置４１、４２、アンテナ４３、４４より各分割データ列をMIMO(Multiple Input Multiple Output)送信する。互いに無相関となるように配置された第１、第２のアンテナ６２，６６は入力した無線信号を送信し、該無線信号は独立のフェージングチャネルhnm（m＝0〜1，n=0〜1）を通り、音声パケット受信装置７０に到り、２本の受信アンテナ７３，７４で受信される。各受信アンテナで受信された信号は、OFDM受信装置７１，７２でOFDM受信処理後、周知のMIMO信号処理により音声パケットデータが復調される。【００１４】
（ｂ）音声パケット送信装置
図４は音声パケット送信装置４０の構成図であり、図３と同一部分には同一符号を付している。
バッファ５１は所定端末宛の音声パケット列(図１７)を順次受信して保存すると共に、ヘッダ圧縮識別完了後に該音声パケットPKTをデータスルー/シリアルパラレル切替部５２に入力する。音声パケットPKTは、例えば、図５(A)に示すように制御信号部CNTと音声パケット本体PKBを備えている。制御信号部CNTは、スケジューリング情報SCDの有無を示す１ビットを有し、"１"であれば音声パケットPKTがスケジューリング情報を含み、"０"であればスケジューリング情報が含まないことを示す。スケジューリング情報SCDには、タイミング、周波数領域における場所(サブキャリア情報)、変調方式、符号化率が含まれている。
ヘッダ識別部５３において、パケットサイズ検出部５３aは入力した音声パケットのパケットサイズを検出し、サイズ差演算部５３bはそれまでのパケットサイズと今回のパケットサイズの差を演算し、非圧縮・圧縮識別部５３cは差が設定値以上のとき、圧縮ヘッダから非圧縮ヘッダに、あるいはその逆に変化したことを検出する。制御部５４は音声パケットのヘッダが圧縮ヘッダであればデータスルー/シリアルパラレル切替部５２に対してデータスルーを指示し、非圧縮ヘッダであればシリアルパラレル変換を指示する。また
、制御部５４は送信方法特定情報作成部５５に送信方法を指示する。
データスルー/シリアルパラレル切替部５２は、データスルーが指示されれば、入力した圧縮ヘッダ付き音声パケットのシリアルデータをそのままスルーして符号器５６に入力し、シリアルパラレル変換が指示されれば、入力した非圧縮ヘッダ付き音声パケットのシリアルデータを２つのデータ列に分割し（シリアルパラレル変換）、それぞれを符号器５６、符号器５７に入力する。符号器５６，５７は入力データを符号化して多重部５８，５９に入力する。また、送信方法特定情報作成部５５は制御部５４からの指示に従って、１ビットの送信方法特定情報SMを作成して多重部５８に入力する。送信方法特定情報SMが“０”であればヘッダが圧縮ヘッダであり、１本のアンテナよりパケットを送信すること(第１送信方法)を示し、“１” であればヘッダが非圧縮ヘッダであり、パケットデータを２本のアンテナを用いて空間多重して送信すること(第２送信方法)を示す。【００１５】
・音声パケットのヘッダが圧縮されている場合(第１送信方法)
音声パケットのヘッダが圧縮されていれば、データスルー/シリアルパラレル切替部５２は、入力した圧縮ヘッダ付き音声パケットのシリアルデータをそのままスルーして符号器５６にのみに入力し、符号器５６は該圧縮ヘッダ付き音声パケットPKTのパケットデータを符号化し、多重部５８は図５（C）〜(F）に示すように音声パケットデータPKTに送信方法特定情報SMを多重して端末宛データ多重部６０に入力する。図５（C）は送信方法特定情報SMDと制御信号部CNTの組み合わせが０,０の場合の多重結果、(D)は０，１の場合の多重結果、 (E)は１，０の場合の多重結果、 (F)は１，１の場合の多重結果である。
キャリア識別部６１はスケジューリング情報SCDに含まれるサブキャリア情報に基づいて各端末宛データを送信するサブキャリアを識別し、端末宛データ多重部６０は各端末宛データをサブキャリア順に並べてOFDM変調部６２に入力する。
OFDM変調部６２は端末宛データ多重部６０から入力した送信方法特定情報付きの音声パケットにOFDM変調を施し、無線送信部６３はOFDM変調部６２から出力するOFDM信号を無線信号にして１本のアンテナ４３より送信する。なお、OFDM変調部６２はパイロット発生部６４から発生するパイロットを音声パケットデータに時分割多重後、OFDM変調して送信する。【００１６】
・音声パケットのヘッダが圧縮されていない場合(第２送信方法)
一方、音声パケットのヘッダが圧縮されていなければ(非圧縮ヘッダ)、データスルー/シリアルパラレル切替部５２は、入力した圧縮ヘッダ付き音声パケットのシリアルデータを２つのデータ列に分割し、それぞれを符号器５６、符号器５７に入力する。符号器５５，５６は入力データを符号化して多重部５８，５９に入力する。多重部５８、５９は２つに分割されたパケットデータ列に送信方法特定情報SMを多重して端末宛データ多重部６０、６５に入力する。なお、多重部５９は必ずしも必要でないが送信ダイバーシチする場合に必要になる。
端末宛データ多重部６０、６５は、第１の送信方法と同様に各端末宛のデータをサブキャリア情報に基づいて多重してOFDM変調部６２，６６に入力する。OFDM変調部６２は端末宛データ多重部６０から入力した送信方法特定情報付きの分割データ列にOFDM変調を施し、無線送信部６３はOFDM変調部６２らから出力するOFDM信号を無線信号にして第１のアンテナ４３に入力し、OFDM変調部６６は端末宛データ多重部６５から入力した送信方法特定情報付きの分割データ列にOFDM変調を施し、無線送信部６７はOFDM変調部６６らから出力するOFDM信号を無線信号にして第２のアンテナ４４に入力する。
OFDM変調部６２、６６はそれぞれパイロット発生部６３から発生する第１、第２のパイロットＰ1，Ｐ2を用いて、互いに直交するようにパイロットOFDMシンボルを作成してデータOFDMシンボルに挿入する。
第１、第２のアンテナ４３，４４は入力した無線信号を送信し、該無線信号は独立のフェージングチャネルhnm（m＝0〜1，n=0〜1）を通り、空間で２多重された後、２本の受信アンテナ７３，７４を有する受信装置により受信される。尚、２多重により、単純には、
送信領域が２倍となるので、伝送可能データ量が２倍となっても送信することができる。【００１７】
（ｃ）音声パケット受信装置
図６は音声パケット受信装置７０の構成図であり、図３と同一部分には同一符号を付している。
無線受信部８１，８２は第１のアンテナ７３、７４により受信された無線信号をベースバンド信号に変換してOFDM復調部８３，８４に入力し、OFDM復調部８３，８４は図１５で説明したOFDM復調処理を実行して復調結果を出力する。分離部８５は音声パケットデータと送信方法特定情報SMを分離する。MIMO受信処理部８６はMIMO送信された場合、OFDM復調部８３，８４の出力信号を用いてMIMO受信処理して送信データを復調する。分離部８７はMIMO受信処理より音声パケットデータと送信方法特定情報SMを分離し、選択部８８は第１の送信方法であれば、すなわち、音声パケットのヘッダが圧縮されていれば、分離部８５から出力する音声パケットデータと送信方法特定情報SMを選択し、第２の送信方法であれば、すなわち、音声パケットのヘッダが圧縮されていなければ、分離部８７から出力する音声パケットデータと送信方法特定情報SMを選択する。パケット送信方法識別部８９は送信方法特定情報SMに基づいて送信方法を識別して、MIMO受信処理部８６、選択部８８に入力する。分離部９０aはデータ、スケジュール信号SCDを分離して出力し、保存部９０ｂは最新のスケジュール信号SCDを保存し、選択部９０cはスケジュール信号SCDに含まれるサブキャリア情報が示す位置よりデータを選択して出力する。また、各変調部、復号部は該スケジュール信号に基づいて復調処理、復号処理を実行する。
MIMO受信処理部８６において、データ/パイロット分離部８６a,８６bは、パケットデータ、パイロット信号を分離し、パケットデータをMIMO復調部８６ｃに入力し、パイロット信号をチャネル推定部８６dに入力する。チャネル推定部８６ｄは、パイロット信号を用いて各サブキャリアについてチャネル推定値を得る。すなわち、チャネル推定部８６dは、各受信アンテナ７３，７４からの受信パイロット信号と既知のパイロット信号との相関演算を行ってチャネル推定値を得る。しかる後、チャネル推定部８６dは、アンテナ毎に各サブキャリアにおけるチャネル推定値をMIMO復調部８６cに入力する。MIMO復調部８６ｃは、各受信アンテナの受信データ信号とチャネル推定値を用いて周知のMIMOチャネル分離をサブキャリア毎に行い、該MIMOチャネル分離演算により得られた各データストリームをP/S変換して出力する。なお、MIMO受信の場合、各OFDM復調部８３，８４はチャネル推定、チャネル補償はしない。【００１８】
音声パケット受信装置７０において、最初、第１の送信方法で音声パケットデータが送信されている際に、送信方法特定情報SMにより第２の送信方法が指示されると、パケット送信方法識別部８９はMIMO受信処理部８６にMIMO受信処理の開始を指示すると共に、選択部８８に分離部８７から出力される音声パケットデータ及び送信方法特定情報SMを選択するよう指示する。これにより、以後、MIMO受信処理が行なわれて空間多重で送信されたデータの復調が行われる。また、パケット送信方法識別部８９は第２の送信方法で音声パケットデータが送信されている際、送信方法特定情報SMにより第１の送信方法が指示されると、MIMO受信処理部８６にMIMO受信処理の停止を指示すると共に、選択部８８に分離部８５から出力される音声パケットデータ及び送信方法特定情報SMを選択するよう指示する。これにより、以後、通常の受信処理が行なわれて１本のアンテナより送信されたパケットデータの復調が行われる。
以上本発明によれば、突然、フルサイズヘッダが付加された大サイズの音声パケットを送信する事態が発生しても、空間多重送信することにより該大サイズの音声パケットの送信が可能となる。この場合、受信側は事前に決められたサブキャリアで伝送される信号のみを抽出号するという受信方法を、非圧縮ヘッダ付音声パケットを送信する状況が発生しても維持することができる。
また、本発明によれば、ヘッダ圧縮された小サイズの音声パケット送信時、フルサイズヘッダ付き音声パケットを送信できるように大きな周波数帯域を確保しておかなくても、
空間多重送信することにより送信能力をアップできるため該フルサイズヘッダ付き音声パケットの送信が可能となる。【００１９】
（Ｃ）第２実施例
（ａ）音声パケット送信装置
第１実施例では複数のアンテナよりデータを送信して空間多重することによりデータ送信能力をアップするが、第２実施例では高符号化率の符号化を行なうことによりデータ送信能力をアップする。
図７は第２実施例の音声パケット送信装置の構成図であり、図４の第１実施例の音声パケット送信装置と同一部分には同一符号を付している。図７において、第１実施例と異なる点は、
(１)空間多重送信する構成を削除した点、
(２)符号部５６に低符号化率の符号化方法で符号化する第１の符号器５６ａと、高符号化率の符号化方法で符号化する第２の符号器５６ｂと、選択部５６ｃを設けている点、
(３)音声パケットのヘッダが圧縮されている場合には低符号化率の符号化方法で符号化した音声パケットデータをOFDM変調して送信し、音声パケットのヘッダが圧縮されていない場合には高符号化率の符号化方法で符号化した音声パケットデータをOFDM変調して送信する点、
である。
符号化率Rは、データのサイズをSd、符号化のために付加した符号部分のサイズScとするとき、R=Sd/(Sd+Sc)であり、符号化率Rが小さい符号化方法を低符号化率の符号化方法と定義し、符号化率Rが大きい符号化方法を高符号化率の符号化方法と定義する。低符号化率の符号化方法によれば、誤り検出訂正能力を高くできるが、データ転送能力は下がる。ヘッダが圧縮されている場合には音声パケットのサイズが小さいため、低符号化率の符号化方法により符号化して送信する。一方、高符号化率の符号化方法によれば、誤り検出訂正能力は低くなるが、データ転送能力はあげることができる。ヘッダが圧縮されていない場合には音声パケットのサイズが大きいため、高符号化率の符号化方法により符号化して送信する。【００２０】
バッファ５１は所定端末宛の音声パケット列(図１７)を順次受信して保存すると共に、ヘッダ圧縮識別完了後に該音声パケットPKTを符号部５６の第１、第２符号部５６a,５６bに入力する。音声パケットPKTは、例えば、図５(A)に示すように制御信号部CNTと音声パケット本体PKBを備えている。
ヘッダ識別部５３において、パケットサイズ検出部５３aは入力した音声パケットのパケットサイズを検出し、サイズ差演算部５３bはそれまでのパケットサイズと今回のパケットサイズの差を演算し、非圧縮・圧縮識別部５３cは差が設定値以上のとき、圧縮ヘッダから非圧縮ヘッダに、あるいはその逆に変化したことを検出する。制御部５４は音声パケットのヘッダが圧縮ヘッダであれば符号部５６の選択部５６cに低符号化率の第１符号部５６aで符号化した音声パケットデータの選択を指示し、非圧縮ヘッダであれば選択部５６cに高符号化率の第２符号部５６ｂで符号化した音声パケットデータの選択を指示する。また、制御部５４は符号化方法特定情報作成部５５′に符号化方法指示する。
符号器５６は音声パケットのヘッダが圧縮ヘッダであれば低符号化率の第１符号部５６aで符号化した音声パケットデータを出力し、非圧縮ヘッダであれば高符号化率の第２符号部５６ｂで符号化した音声パケットデータを出力する。また、符号化方法特定情報作成部５５′は制御部５４からの指示に従って、１ビットの符号化方法特定情報SMを作成して多重部５８に入力する。符号化方法特定情報SMが“０”であれば低符号化率による符号化方法であることを示し、“１”であれば高符号化率による符号化方法であることを示す。
キャリア識別部６１はスケジューリング情報SCDに含まれるサブキャリア情報に基づいて各端末宛データを送信するサブキャリアを識別し、端末宛データ多重部６０は各端末宛データをサブキャリア順に並べてOFDM変調部６２に入力する。
OFDM変調部６２は端末宛データ多重部６０から入力した送信方法特定情報付きの音声パケットにOFDM変調を施し、無線送信部６３はOFDM変調部６２から出力するOFDM信号を無線信号にして１本のアンテナ４３より送信する。なお、OFDM変調部６２はパイロット発生部６４から発生するパイロットを音声パケットデータに時分割多重後、OFDM変調して送信する。【００２１】
（ｃ）音声パケット受信装置
図８は第２実施例の音声パケット受信装置の構成図であリ、図３と同一部分には同一符号を付している。
無線受信部８１は第１のアンテナ７３により受信された無線信号をベースバンド信号にしてOFDM復調部８３に入力し、OFDM復調部８３は図１５で説明したOFDM復調処理を実行して復調結果を出力する。復号部９１は低符号化率で符号化された音声パケットデータを復号する第１の復号器９１aと、高符号化率で符号化された音声パケットデータを復号する第２の復号器９１ｂと、一方の復号器で復号されたデータを選択する選択部９１cを備えている。
分離部９0aは複合部から出力された復号データより、パケットデータ、スケジュール情報SCD、符号化方法特定情報SMを分離し、符号化方法識別部９２は該符号化方法特定情報SMに基づいて符号化方法を識別し、選択部９１cに符号化方法に応じた復号結果を選択するよう指示する。保存部９４bは最新のスケジュール信号SCDを保存し、選択部９０cはスケジュール信号SCDに含まれるサブキャリア情報が示す位置よりデータを選択して出力する。
音声パケット受信装置において、最初、低符号化率の符号化方法で符号化された音声パケットデータ(圧縮ヘッダ付き音声パケットデータ)が送信されている際、復号部９１は第１復号器９１aで復号した復号結果を出力する。かかる状態において、符号化方法特定情報SMにより高符号化率の符号化方法が指示されると、符号化方法識別部９２は選択部９１ｃに第２復号器９１ｂから出力される音声パケットデータを選択するよう指示する。これにより、以後、復号部９１は第２復号器９１ｂで復号した復号結果を出力する。
また、符号化方法識別部９２は符号化方法特定情報SMにより低符号化率の符号化方法が指示されると、選択部９１ｃに第１復号器９１aから出力される音声パケットデータを選択するよう指示する。これにより、以後、復号部９１は第１復号器９１aで復号した復号結果を出力する。
以上本発明によれば、突然、フルサイズヘッダが付加された大サイズの音声パケットを送信する事態が発生しても、高符号化率で符号化することにより送信能力を高めて該大サイズの音声パケットの送信が可能となる。この場合、受信側は事前に決められたサブキャリアで伝送される信号のみを抽出号するという受信方法を、非圧縮ヘッダ付音声パケットを送信する状況が発生しても維持することができる。
また、本発明によれば、ヘッダ圧縮された小サイズの音声パケット送信時、フルサイズヘッダ付き音声パケットを送信できるように大きな周波数帯域を確保しておかなくても、高符号化率で符号化することにより送信能力をアップできるため該フルサイズヘッダ付き音声パケットの送信が可能となる。【００２２】
第１、第２実施例では特定情報SMを１ビットとして、該１ビットにより送信方法あるいは符号化方法を特定したが、２ビットとして図９に示すように、送信方法、符号化率を同時に指示するようにすることもできる。図９の場合、００は低符号化率による第１送信方法を、０１は低符号化率による第２送信方法(空間多重送信)を、１１は高符号化率による第１送信方法を示している。第１送信方法は１送信アンテナ及び１受信アンテナによる通常の通信、あるいは２送信アンテナ及び１受信アンテナによる通信（送信ダイバーシチ)である。
第１実施例では送信アンテナが２本、受信アンテナが２本の場合を説明したが、空間多重送信できれば良く、アンテナの本数は任意に変更可能である。
また、第１、第２実施例ではOFDM通信する場合に本発明を適用したが、本発明はかかる通信に限らない。【００２３】
・発明の効果
本発明によれば、突然、フルサイズヘッダが付加された大サイズの音声パケットを送信する事態が発生しても、該大サイズの音声パケットの送信が可能となる。
本発明によれば、ヘッダ圧縮された小サイズの音声パケット送信時、フルサイズヘッダ付き音声パケットを送信できるように大きな周波数帯域を確保しておかなくても、該フルサイズヘッダ付き音声パケットの送信が可能となる。
【図１】
2008050429.tif 000003
【図２】
2008050429.tif 000004
【図３】
2008050429.tif 000005
【図４】
2008050429.tif 000006
【図５】
2008050429.tif 000007
【図６】
2008050429.tif 000008
【図７】
2008050429.tif 000009
【図８】
2008050429.tif 000010
【図９】
2008050429.tif 000011
【図１０】
2008050429.tif 000012
【図１１】
2008050429.tif 000013
【図１２】
2008050429.tif 000014
【図１３】
2008050429.tif 000015
【図１４】
2008050429.tif 000016
【図１５】
2008050429.tif 000017
【図１６】
2008050429.tif 000018
【図１７】
2008050429.tif 000019
【図１８】
2008050429.tif 000020
【図１９】
2008050429.tif 000021
【手続補正書】
【提出日】平成20年12月24日(2008.12.24)
【手続補正１】
【補正対象書類名】特許請求の範囲
【補正対象項目名】全文
【補正方法】変更
【補正の内容】
【特許請求の範囲】
【請求項１】
ヘッダ付き音声パケットを送信する音声パケット送信方法において、
圧縮されたヘッダ付き音声パケットを送信するステップ、
前記送信中に圧縮されないヘッダ付きの音声パケットを送信する必要が発生したか監視するステップ、
前記必要が発生したとき、前記圧縮されないヘッダ付きの音声パケットデータを複数に分割するステップ、
各分割データを異なるアンテナより空間多重して送信するステップ、
を有することを特徴とする音声パケット送信方法。
【請求項２】
請求項１記載の音声パケット送信方法において、
前記圧縮されたヘッダ付き音声パケットを複数のサブキャリアを用いて送信し、
前記各分割データを前記複数のサブキャリアを用いて異なるアンテナより空間多重して送信する、
ことを特徴とする音声パケット送信方法。
【請求項３】
請求項１または２記載の音声パケット送信方法は、更に、
各音声パケットに、後続の音声パケットを前記空間多重して送信するか否かを示す制御信号を付加するステップ、
を有することを特徴とする音声パケット送信方法。
【請求項４】
請求項１または２記載の音声パケット送信方法は、更に、
音声パケットのサイズを検出し、該パケットサイズに基づいて該音声パケットが圧縮されたヘッダ付き音声パケットであるか、圧縮されないヘッダ付きの音声パケットであるかを判定するステップ、
を有することを特徴とする音声パケット送信方法。
【請求項５】
ヘッダ付き音声パケットを送信する音声パケット送信方法において、
圧縮されたヘッダ付き音声パケットデータを第１の符号化率で符号化するステップ、
圧縮されたヘッダ付き音声パケットを送信するステップ、
前記送信中に圧縮されないヘッダ付きの音声パケットを送信する必要が発生したか監視するステップ、
前記必要が発生したとき、前記圧縮されないヘッダ付きの音声パケットのデータを前記第１の符号化率より大きい第２の符号化率で符号化し、該符号化された音声パケットデータを送信するステップ、
を有することを特徴とする音声パケット送信方法。
【請求項６】
ヘッダ付き音声パケットを送信する音声パケット送信装置において、
音声パケットデータを送信する２以上の送信部、
各送信部から出力される無線信号を空間に送信する２以上のアンテナ、
圧縮されたヘッダ付き音声パケットを送信中において、圧縮されないヘッダ付き音声パケットを送信する必要が発生したか検出する検出部、
前記必要が発生したとき、前記圧縮されないヘッダ付きの音声パケットデータを複数に分割するデータ分割部、
を備え、前記各送信部は各分割データを各アンテナより空間に放射し、空間多重して送信する、
ことを特徴とする音声パケット送信装置。
【請求項７】
請求項６記載の音声パケット送信装置は、更に、
各音声パケットに、後続の音声パケットを前記空間多重して送信するか否かを示す制御信号を付加する制御信号付加部、
を有することを特徴とする音声パケット送信装置。
【請求項８】
請求項６または７記載の音声パケット送信装置は、更に、
音声パケットのサイズを検出し、該パケットサイズに基づいて該音声パケットが圧縮されたヘッダ付き音声パケットであるか、圧縮されないヘッダ付きの音声パケットであるかを判定するヘッダ圧縮/非圧縮判定部、
を有することを特徴とする音声パケット送信装置。
【請求項９】
請求項７記載の音声パケット送信装置において、
受信側は受信信号より前記制御信号を復調し、該制御信号により受信信号の復調方法を切り替えて受信データを復調する、
を有することを特徴とする音声パケット送信装置。
【請求項１０】
ヘッダ付き音声パケットを送信する音声パケット送信装置において、
圧縮されたヘッダ付き音声パケットデータを第１の符号化率で符号化する第１の符号器、
圧縮されないヘッダ付きの音声パケットのデータを前記第１の符号化率より大きい第２の符号化率で符号化する第２の符号器、
符号化された音声パケットデータを送信する送信部、
前記第１の符号器で符号化した音声パケットデータを前記送信部より送信中において、圧縮されないヘッダ付きの音声パケットを送信する必要が発生したか検出する検出部、
前記必要が発生したとき、前記第２の符号器で符号化した音声パケットデータを前記送信部に入力する選択部、
を備えることを特徴とする音声パケット送信装置。
ことを特徴とする音声パケット送信装置。
【請求項１１】
所定の期間内において所定の変調方式、所定の符号化率に制限して所定の送信領域で送信を行うことを通知している場合に、該所定の送信領域に収まらないデータの送信が必要となると、前記所定の期間内において、該データの送信に先だって送信される前記所定の送信領域に、前記変調方式を維持しつつ前記所定の送信領域に加えて更なる送信領域を空間多重により拡大すること又は前記所定の送信領域内で符号化率を高めてデータ送信を行うことを通知する信号を格納して送信する、
ことを特徴とするデータ送信方法。
【国際調査報告】
2008050429.tif 000022
2008050429.tif 000023
2008050429.tif 000024
2008050429.tif 000025